(57)【要約】      （修正有）【課題】釣用バッグの耐久性、使い勝手を向上させた釣り用バック及び釣用クッションの提供。【解決手段】釣用バッグ１０は、収容容器１１と、収容容器１１の両側面１１ａ，１１ｂ及び収容容器１１の外側底面１１ｃに架け渡された肩掛けベルト１２と、収容容器１１の両側面１１ａ，１１ｂと収容容器１１の外側底面１１ｃとに、肩掛けベルト１２が通されて保持された保持部１１ｄとを備えている。【選択図】図３
2019129792.tif 000002
【特許請求の範囲】
【請求項１】
収容容器と、
前記収容容器の両側面及び前記収容容器の外側底面に架け渡された肩掛けベルトと、
前記収容容器の両側面と前記収容容器の外側底面とに、前記肩掛けベルトが通されて保持された保持部と
を備えた、
釣用バッグ。
【請求項２】
前記収容容器の外側底面には、前記肩掛けベルトが通る溝が設けられている、請求項１に記載された釣用バッグ。
【請求項３】
前記収容容器の上部に被せられる蓋をさらに備え、
前記蓋は、
前記収容容器の上部に被せられる天板部と、
前記収容容器の上部の周縁部を覆うように、前記天板部の周縁から下方に延びたスカート部と、
前記スカート部の前面から下方に延びた止め板部と、
前記収容容器の背面と、前記スカート部の後縁とに取付けられたヒンジと、
前記収容容器の前面と、前記止め板部とに取付けられた面ファスナーと、
前記収容容器の前面と前記スカート部の前面とに取付けられ、前記止め板部の上を通るように延びた第１バックル付きベルトと
を備えた、請求項１または２に記載された釣用バッグ。
【請求項４】
前記収容容器の前面と背面との間に取付けられ、前記収容容器の上部に被せられた前記蓋の上を通るように取付けられた第２バックル付きベルトを備えた、請求項３に記載された釣用バッグ。
【請求項５】
前記天板部の上面は、載置部と、前記載置部の周りに周方向に間欠的に設けられた盛り上がった複数の段差とを有する、
請求項３または４に記載された釣用バッグ。
【請求項６】
前記載置部には、マット材と、前記マット材を覆う樹脂シートとを備え、前記樹脂シートの縁が溶着された防水クッションが置かれた、請求項３から５までの何れか一項に記載された釣用バッグ。
【請求項７】
前記載置部に置かれるクッションは、
第１マット材と、前記第１マット材を覆う第１樹脂シートとを備え、前記第１樹脂シートの縁が溶着された第１防水クッション部と、
第２マット材と、前記第２マット材を覆う第２樹脂シートとを備え、前記第２樹脂シートの縁は溶着された第２防水クッション部と、
前記第１防水クッション部と前記第２防水クッション部とを繋ぐ樹脂シートからなる接続部とを有し、
前接続部が折り曲げられて前記第１防水クッション部と前記第２防水クッション部とが重ねられた状態で、前記載置部に置かれるサイズになる折り畳み式クッションである、
請求項３から５までの何れか一項に記載された釣用バッグ。
【請求項８】
前記第１防水クッション部と、前記第２防水クッション部とは高さが異なる、請求項７に記載された釣用バッグ。
【請求項９】
マット材と、前記マット材を覆う樹脂シートとを備え、前記樹脂シートの縁が溶着された釣用クッション。
【請求項１０】
第１マット材と、前記第１マット材を覆う第１樹脂シートとを備え、前記第１樹脂シートの縁が溶着された第１防水クッション部と、
第２マット材と、前記第２マット材を覆う第２樹脂シートとを備え、前記第２樹脂シートの縁は溶着された第２防水クッション部と、
前記第１防水クッション部と前記第２防水クッション部とを繋ぐ樹脂シートからなる接続部とを有し、
前接続部が折り曲げられて前記第１防水クッション部と前記第２防水クッション部とが重ねられた状態で、前記載置部に置かれるサイズになる釣用クッション。
【請求項１１】
前記第１防水クッション部と、前記第２防水クッション部とは高さが異なる、請求項１０に記載された釣用クッション。
【請求項１２】
前記第１防水クッション部と前記第２防水クッション部とには、前接続部が折り曲げられた際に内側に滑り止めが設けられている、請求項１０または１１に記載された釣用クッション。
【請求項１３】
前記第１防水クッション部の底面と、前記第２防水クッション部の底面には、前記接続部が折り曲げられた際に第１防水クッション部と第２防水クッション部とをくっつけるための接合部が設けられている、請求項１０から１２までの何れか一項に記載された釣用クッション。
【発明の詳細な説明】
【技術分野】
【０００１】
釣用バッグおよび釣用クッションに関する。
【背景技術】
【０００２】
例えば、特開２０１５−１０９８１０号公報には、釣用バッグが開示されている。同公報では、肩掛けベルトが手提げ用把手になる構造が提案されている。
【先行技術文献】
【特許文献】
【０００３】
【特許文献１】特開２０１５−１０９８１０号公報
【発明の概要】
【発明が解決しようとする課題】
【０００４】
釣用バッグには、釣り用の道具が収容される。このため、大型のバッグが求められる場合がある。この場合、バッグの耐久性を向上させるとともに、使い勝手を向上させたい。また、へら釣りなどの用途では、釣り人が長時間、あぐらを組むような姿勢で座って釣りを行うため、クッションを携帯するような場合がある。
【課題を解決するための手段】
【０００５】
ここで提案される釣用バッグは、収容容器と、収容容器の両側面及び前記収容容器の外側底面に架け渡された肩掛けベルトと、収容容器の両側面と収容容器の外側底面とに、肩掛けベルトが通されて保持された保持部とを備えている。
【０００６】
釣用バッグは、収容容器の上部に被せられる蓋をさらに備えていてもよい。
この場合、蓋は、収容容器の上部に被せられる天板部と、収容容器の上部の周縁部を覆うように、天板部の周縁から下方に延びたスカート部と、スカート部の前面から下方に延びた止め板部と、収容容器の背面と、スカート部の後縁とに取付けられたヒンジと、収容容器の前面と、止め板部とに取付けられた面ファスナーと、収容容器の前面とスカート部の前面とに取付けられ、止め板部の上を通るように延びた第１バックル付きベルトとを備えていてもよい。
【０００７】
さらに釣用バッグの天板部の上面は、載置部と、載置部の周りに周方向に間欠的に設けられた盛り上がった複数の段差とを有していてもよい。載置部には、釣用クッションが置かれてもよい。釣用クッションは、例えば、マット材と、マット材を覆う樹脂シートとを備え、樹脂シートの縁が溶着された防水クッションでもよい。
【０００８】
載置部に置かれるクッションは、第１防水クッション部と、第２防水クッション部と、第１防水クッション部と第２防水クッション部とを繋ぐ樹脂シートからなる接続部とを有し、接続部が折り曲げられて第１防水クッション部と第２防水クッション部とが重ねられた状態で、載置部に置かれるサイズになる折り畳み式クッションであってもよい。
【図面の簡単な説明】
【０００９】
【図１】図１は、釣用バッグ１０の正面図である。
【図２】図２は、釣用バッグ１０の平面図である。
【図３】図３は、釣用バッグ１０の背面図である。
【図４】図４は、釣用バッグ１０の側面図である。
【図５】図５は、釣用バッグ１０の底面図である。
【図６】図６は、釣用バッグ１０の蓋１３が開けられた状態を示す斜視図である。
【図７】図７は、ヒンジ１３ｄを図示した斜視図である。
【図８】図８は、釣用クッション１４の側面図である。
【図９】図９では、釣用クッション１４の底面が図示されている。
【図１０】図１０は、釣用クッション１４の使用状態を示す斜視図である。
【発明を実施するための形態】
【００１０】
以下、ここで提案される釣用バッグの一実施形態を図面に基づいて説明する。なお、本発明は以下の実施形態に限定されない。各図面は模式的に描かれており、必ずしも実物を反映していない。また、各図面は、一例を示すのみであり、特に言及されない限りにおいて本発明を限定しない。また、同一の作用を奏する部材・部位には、適宜に同一の符号を付し、重複する説明を省略する。上、下、左、右、前、後の向きは、図中、Ｕ、Ｄ、Ｌ、Ｒ、Ｆ、Ｒｒの矢印でそれぞれ適宜に表されている。また、符号は、細部において適宜に省略されている。
【００１１】
図１は、釣用バッグ１０の正面図である。この釣用バッグ１０は、図１に示されているように、収容容器１１と、肩掛けベルト１２と、蓋１３と、釣用クッション１４とを備えている。
図２〜図５は、釣用クッション１４が取り外された状態が示されている。図２は、釣用バッグ１０の平面図である。図３は、釣用バッグ１０の背面図である。図４は、釣用バッグ１０の側面図である。図５は、釣用バッグ１０の底面図である。図６は、釣用バッグ１０の蓋１３が開けられた状態を示す斜視図である。
【００１２】
釣用バッグ１０は、収容容器１１は、この実施形態では、略直方体の容器である。この実施形態では、外側底面１１ｃを含む収容容器１１の底部１１Ａは、樹脂成形品である。ここでは、収容容器１１の底部１１Ａは、所要の剛性を有するＥＶＡ樹脂（エチレン・酢酸ビニル共重合樹脂）の成形品で構成されている。
【００１３】
収容容器１１の周側面１１Ｂは、収容容器１１の底部１１Ａの周縁部に溶着されて、底部１１Ａの周縁部から筒状に立ち上げられた樹脂製のシートからなる。この実施形態では、収容容器１１の周側面１１Ｂを構成する樹脂製のシートは、周方向に連続しており、周方向の一部において高さ方向に沿って重ねられて溶着されている。この実施形態では、収容容器１１の周側面１１Ｂは、ＥＶＡ樹脂製のシートで構成されている。収容容器１１の周側面１１Ｂは、全周に亘って底部１１Ａに溶着されている。このため、収容容器１１の底部１１Ａと周側面１１Ｂは、それぞれ防水性を有している。
【００１４】
収容容器１１の周側面１１Ｂの上縁１１Ｂ１は、収容容器１１の上縁を形作るリング状の枠材（図示省略）が装着されている。この実施形態では、収容容器１１の周側面１１Ｂを構成する樹脂シートの上縁の外側にリング状の枠材が当てられ、樹脂シートの上縁が枠材を覆うように外側に折り返され、かつ、縫製されている。リング状の枠材には、例えば、所要の剛性を有するステンレスの枠が用いられているとよい。これによって、収容容器１１の周側面１１Ｂの形状が保持されている。
【００１５】
収容容器１１の両側面１１ａ，１１ｂ及び収容容器１１の外側底面１１ｃに肩掛けベルト１２が架け渡されている。収容容器１１の両側面１１ａ，１１ｂと収容容器１１の外側底面１１ｃとには、肩掛けベルト１２が通されて保持された保持部１１ｄが設けられている。収容容器１１の両側面１１ａ，１１ｂと収容容器１１の外側底面１１ｃとに保持部１１ｄとしてのループが設けられている。さらに、収容容器１１の外側底面１１ｃには、図５に示されているように、肩掛けベルト１２が通る溝１１ｃ１が設けられている。さらに、収容容器１１の外側底面１１ｃには、適当な位置に下方に突出した底足１１ｃ２が設けられている。底足１１ｃ２には滑り止めが設けられているとよい。このため、収容容器１１の外側底面１１ｃが汚れにくく、かつ、収容容器１１が滑りにくい。
【００１６】
この実施形態では、収容容器１１の周側面１１Ｂに、ポケット３１が設けられている。ポケット３１は、樹脂製のシートで構成されており、収容容器１１の周側面１１Ｂに溶着されているとよい。ポケット３１は、上部が開口しているが、ポケット３１の上縁を止める止め紐３２が、周側面１１Ｂに取り付けられているとよい。また、収容容器１１の前面と背面には、それぞれ把手３３，３４が取付けられている。把手３３，３４は、それぞれ樹脂製である。把手３３，３４の両端３３ａ，３３ｂ、３４ａ，３４ｂは、収容容器１１の周側面１１Ｂにそれぞれ溶着されている。図５に示されているように、ポケット３１の底には、水抜き穴３１ａが形成されていてもよい。
【００１７】
この収容容器１１は、収容容器１１の両側面１１ａ，１１ｂ及び収容容器１１の外側底面１１ｃに肩掛けベルト１２が架け渡されているので、収容容器１１の底部１１Ａが肩掛けベルト１２によって支えられている。さらに、収容容器１１の両側面１１ａ，１１ｂと収容容器１１の外側底面１１ｃとに設けられた保持部１１ｄに、肩掛けベルト１２が通されている。このため、収容容器１１に収容する荷物が重たくなっても、収容容器１１の変形が小さく抑えられる。
また、肩掛けベルト１２が収容容器１１の底部１１Ａの所定の位置からずれない。さらに、収容容器１１の外側底面１１ｃには、肩掛けベルト１２が通る溝１１ｃ１が設けられている。このため、収容容器１１の底部１１Ａにおいて、肩掛けベルト１２が床にすれたりしにくく、肩掛けベルト１２が破損しにくい。
このため、釣用バッグ１０の耐久性が高い。
【００１８】
釣用バッグ１０は、図１に示されているように、収容容器１１の上部に被せられる蓋１３をさらに備えている。
【００１９】
蓋１３は、天板部１３ａと、スカート部１３ｂと、止め板部１３ｃと、ヒンジ１３ｄと、面ファスナー１３ｅ（図６参照）と、第１バックル付きベルト１３ｆと、第２バックル付きベルト１３ｇとを備えている。蓋１３は、例えば、ＥＶＡ樹脂の成形品からなる基材に、上面にポリプロピレンのシートを貼り付け、ポリプロピレンのシートの周縁部にＥＶＡ樹脂の縁材を取り付けて基材に一体化させた構造が採用されうる。なお、蓋１３は、防水性を有する材質であるとよく、ここで例示される構造に限定されない。
【００２０】
天板部１３ａは、収容容器１１の上部に被せられる部位である。スカート部１３ｂは、収容容器１１の上部の周縁部を覆うように、天板部１３ａの周縁から下方に延びている。天板部１３ａが収容容器１１の上部に被せられた状態では、スカート部１３ｂは、収容容器１１の上部の周縁部の外側に被さった状態になる。このため、蓋１３が被せられた状態では、収容容器１１に水が浸入しにくい。止め板部１３ｃは、収容容器１１の前面において、スカート部１３ｂの前面の下縁から下方に延びている。
【００２１】
ヒンジ１３ｄは、収容容器１１の背面と、スカート部１３ｂの後縁とに取付けられている。このため、蓋１３は、図６に示されているように、収容容器１１の前側から後側に開かれる。図７は、ヒンジ１３ｄを図示した斜視図である。図７では、蓋１３が開かれた状態で、蓋１３と収容容器１１との接合部が図示されている。
【００２２】
ヒンジ１３ｄは、図７に示されているように、収容容器１１の背面にベルト１３ｄ１で取り付けられたループ１３ｄ２と、蓋１３のスカート部１３ｂの内側に取り付けられたベルト１３ｄ３とを備えている。スカート部１３ｂに取り付けられたベルト１３ｄ３には面ファスナーが取り付けられている。スカート部１３ｂに取り付けられたベルト１３ｄ３は、ループ１３ｄ２に挿通され、自らループが形成されて面ファスナーによって止められている。収容容器１１と蓋１３とには、蓋１３が開いた状態で維持されるように止め紐２１が取付けられている。
【００２３】
面ファスナー１３ｅは、図６に示されているように、収容容器１１の前面と、止め板部１３ｃの裏面とに取付けられている。図１に示されているように、蓋１３が収容容器１１の上部に被さったときに、蓋１３の止め板部１３ｃの裏面と収容容器１１の前面に取付けられた面ファスナー１３ｅが止められるように構成されている。
【００２４】
第１バックル付きベルト１３ｆは、収容容器１１の前面と、スカート部１３ｂの前面とに取付けられ、止め板部１３ｃの上を通るように延びている。第１バックル付きベルト１３ｆの一端は、収容容器１１の前面に取付けられている。第１バックル付きベルト１３ｆの他端は、蓋１３のスカート部１３ｂの前面に取付けられている。第１バックル付きベルト１３ｆの中間部には、樹脂製のバックル１３ｆ１が取付けられている。樹脂製のバックル１３ｆ１が外された状態では、第１バックル付きベルト１３ｆは、収容容器１１の前面に取付けられたベルト１３ｆ２と、蓋１３のスカート部１３ｂに取付けられたベルト１３ｆ３とに分かれる。蓋１３が閉められており、収容容器１１を持ち運ぶ場合などには、図１に示されているように、樹脂製のバックル１３ｆ１が接続されているとよい。これにより、収容容器１１を持ち運ぶ際に、蓋１３が不用意に開きにくい。第１バックル付きベルト１３ｆは、収容容器１１の前面とスカート部１３ｂの前面とに取付けられ、止め板部１３ｃの上を通るように延びているので、面ファスナー１３ｅが付いているか外れているかにかかわらず、樹脂製のバックル１３ｆ１の取り付けや取り外しが容易である。
【００２５】
この実施形態では、天板部１３ａの上面は、載置部１３ａ１が設けられている。天板部１３ａの上面の載置部１３ａ１の周りには、盛り上がった複数の段差１３ａ２が、周方向に間欠的に設けられている。載置部１３ａ１には、例えば、クッションまたはバッグ（図１では、釣用クッション１４）などが置かれる。載置部１３ａ１の周りに盛り上がった複数の段差１３ａ２が設けられているので、載置部１３ａ１に置かれたクッションまたはバッグなどがずれにくい。また、段差１３ａ２は、載置部１３ａ１の周方向に間欠的に設けられている。段差１３ａ２の間は、載置部１３ａ１に溜まった水がこぼれ落ちるためのドレン溝１３ａ３になっている。
【００２６】
第２バックル付きベルト１３ｇは、収容容器１１の前面と背面との間に取付けられている。第２バックル付きベルト１３ｇは、収容容器１１の上部に被せられた蓋１３の上を通るように取付けられている。この第２バックル付きベルト１３ｇは、例えば、図１に示されているように、蓋１３が収容容器１１に被せられた状態において、天板部１３ａの上面の載置部１３ａ１に置かれたクッションまたはバッグなどの上に通される。第２バックル付きベルト１３ｇによって、載置部１３ａ１に置かれたクッションまたはバッグなどが固定される。これによって、載置部１３ａ１の上に固定されたクッションまたはバッグを、釣用バッグ１０と一緒に持ち運ぶやすくなり、クッションなどの携帯性が良くなる。
【００２７】
なお、天板部１３ａの上面の載置部１３ａ１にクッションまたはバッグ（図１では、釣用クッション１４）が置かれない場合には、収容容器１１と蓋１３との隙間から収容容器１１の内部または蓋１３の内側に入れることができる。
【００２８】
ここで、載置部１３ａ１に置かれるクッション（ここでは、釣用クッション１４）は、マット材と、マット材を覆う樹脂シートとを備え、樹脂シートの縁が溶着された防水クッションであるとよい。
【００２９】
図８は、釣用クッション１４の側面図である。図９は、釣用クッション１４が展開された展開図である。図９では、釣用クッション１４の底面が図示されている。図１０は、釣用クッション１４の使用状態を示す斜視図である。
【００３０】
この釣用クッション１４は、図８に示されているように、第１防水クッション部１４ａと、第２防水クッション部１４ｂと、接続部１４ｃとを有している。
【００３１】
第１防水クッション部１４ａは、第１マット材１４ａ１と、第１マット材１４ａ１を覆う第１樹脂シート１４ａ２とを備えている。第１マット材１４ａ１を覆う第１樹脂シート１４ａ２の縁１４ａ３は、全周に亘って溶着されている。このため、第１防水クッション部１４ａには、水が内部に浸入しない。
【００３２】
第２防水クッション部１４ｂは、第２マット材１４ｂ１と、第２マット材１４ｂ１を覆う第２樹脂シート１４ｂ２とを備えている。第２マット材１４ｂ１を覆う第２樹脂シート１４ｂ２の縁は、全周に亘って溶着されている。このため、第２防水クッション部１４ｂには、水が内部に浸入しない。
【００３３】
図８では、第１樹脂シート１４ａ２および第２樹脂シート１４ｂ２の一部が破断されている。これにより、第１樹脂シート１４ａ２および第２樹脂シート１４ｂ２の中の第１マット材１４ａ１と第２マット材１４ｂ１が見える状態で図示されている。ここで、第１樹脂シート１４ａ２および第２樹脂シート１４ｂ２は、例えば、ＥＶＡ樹脂のような防水性を有するシートであるとよい。詳しくは、第１マット材１４ａ１と第２マット材１４ｂ１は、蓋１３の載置部１３ａ１に合った略矩形のマットである。例えば、発砲ポリエチレンマットやポリウレタンフォームで構成されうる。
【００３４】
ここで、第１樹脂シート１４ａ２は、第１マット材１４ａ１の上面、底面、側周面をそれぞれ覆っている。そして、上面を覆うシート１４ａ３と、側周面を覆うシート１４ａ４とは内側に織り込まれて樹脂製の縁材１４ａ５に溶着されている。さらに、側周面を覆うシート１４ａ４と、底面を覆うシート１４ａ６は、底面を覆うシート１４ａ６の縁１４ａ７に合わせて側周面を覆うシート１４ａ４が溶着されている。このように、第１マット材１４ａ１は、第１樹脂シート１４ａ２によって全周が覆われている。
【００３５】
第２樹脂シート１４ｂ２についても、同様であり、第２マット材１４ｂ１の上面、底面、側周面をそれぞれ覆っている。そして、上面を覆うシート１４ｂ３と、側周面を覆うシート１４ｂ４とは内側に織り込まれて樹脂製の縁材１４ｂ５に溶着されている。さらに、側周面を覆うシート１４ｂ４と、底面を覆うシート１４ｂ６は、底面を覆うシート１４ｂ６の縁１４ｂ７に合わせて側周面を覆うシート１４ｂ４が溶着されている。このように、第２マット材１４ｂ１は、第２樹脂シート１４ｂ２によって全周が覆われている。
【００３６】
この実施形態では、第１防水クッション部１４ａの外側面に把手１４ｄが取り付けられている。また、接続部１４ｃは、第１防水クッション部１４ａと第２防水クッション部１４ｂとを繋ぐ樹脂シートからなる。接続部１４ｃは、第１防水クッション部１４ａと第２防水クッション部１４ｂにそれぞれ溶着されている。第１防水クッション部１４ａと第２防水クッション部１４ｂは、それぞれ蓋１３の載置部１３ａ１（図１参照）に合った形状を有しており、図８に示されているように、接続部１４ｃが折り曲げられて第１防水クッション部１４ａと第２防水クッション部１４ｂとが重ねられた状態で、載置部１３ａ１に置かれるサイズになる。このように釣用クッション１４は、折り畳み式クッションであるとよい。なお、図１では、接続部１４ｃが折り曲げられて第１防水クッション部１４ａと第２防水クッション部１４ｂとが重ねられた状態で、第１防水クッション部１４ａが下側に向けられて載置部１３ａ１に置かれている。
【００３７】
図９に示されているように、第１防水クッション部１４ａと第２防水クッション部１４ｂとには、接続部１４ｃが折り曲げられた際に内側がそれぞれ底面になる。第１防水クッション部１４ａの底面を覆うシート１４ｂ６と第２防水クッション部１４ｂの底面を覆うシート１４ｂ６には、それぞれ滑り止め１４ｅが設けられている。また、第１防水クッション部１４ａの底面を覆うシート１４ｂ６と第２防水クッション部１４ｂの底面を覆うシート１４ｂ６には、接続部１４ｃが折り曲げられた際に第１防水クッション部１４ａと第２防水クッション部１４ｂとをくっつけるための接合部１４ｆが設けられている。この実施形態では、接合部１４ｆは、面ファスナーで構成されている。接合部１４ｆは、面ファスナーに変えてボタンでもよい。この釣用クッション１４では、接続部１４ｃが折り曲げられた際に、接合部１４ｆによって、第１防水クッション部１４ａと第２防水クッション部１４ｂとがくっつけられるので携帯性に優れている。
【００３８】
この釣用クッション１４では、第１防水クッション部１４ａと第２防水クッション部１４ｂとの高さが異なる。このため、図１０に示されているように、高い側の第１防水クッション部１４ａ側に臀部を載せて、低い側の第２防水クッション部１４ｂに足を組むなど、あぐらを組んだ姿勢で長時間座りやすいクッションが提供されうる。
【００３９】
また、この釣用クッション１４は、マット材としての第１マット材１４ａ１と第２マット材１４ｂ１と、これらのマット材を覆う樹脂シートとしての第１樹脂シート１４ａ２と第２樹脂シート１４ｂ２とを備えており、樹脂シートの縁が溶着されている。このため、水がマット材に染み込まず、防水性に優れている。ここでは、折り曲げられるクッションが例示されているが、釣用バッグ１０に取り付けられる釣用クッション１４は、折り曲げられるものでなくてもよい。また、第２バックル付きベルト１３ｇは長さ調整が可能であり、釣用クッション１４は、２つ折りだけでなく、３つ折り、さらには、４つ折りとしてもよい。また、第２バックル付きベルト１３ｇは、釣用クッション１４だけでなく、バックや釣り用の餌袋など、いろいろな物を保持しうる。
【００４０】
以上、ここで提案される釣用バッグおよび釣用クッションの一実施形態を説明したが、本発明は、上記の実施形態に限定されない。例えば、ここで例示される釣用バッグ１０の各構成は、それぞれ相互に機能上関連しない部材は、特に言及されない場合には、設けられていなくてもよい。また、さらに付加的な要素が設けていてもよい。
【符号の説明】
【００４１】
１０  釣用バッグ
１１  収容容器
１１Ａ  収容容器１１の底部
１１Ｂ  収容容器１１の周側面
１１Ｂ１  収容容器１１の周側面の上縁
１１ａ，１１ｂ  収容容器１１の両側面
１１ｃ  外側底面
１１ｃ１  溝
１１ｃ２  底足
１１ｄ  保持部
１２  肩掛けベルト
１３  蓋
１３ａ  蓋１３の天板部
１３ａ１  載置部
１３ａ２  段差
１３ａ３  ドレン溝
１３ｂ  スカート部
１３ｃ  止め板部
１３ｄ  ヒンジ
１３ｄ１  ベルト
１３ｄ２  ループ
１３ｄ３  ベルト
１３ｅ  面ファスナー
１３ｆ  第１バックル付きベルト
１３ｆ１  バックル
１３ｇ  第２バックル付きベルト
１４  釣用クッション
１４ａ  第１防水クッション部
１４ａ１  第１マット材
１４ａ２  第１樹脂シート
１４ａ３  第１マット材１４ａ１の上面を覆うシート
１４ａ４  第１マット材１４ａ１の側周面を覆うシート
１４ａ５  縁材
１４ａ６  第１マット材１４ａ１の底面を覆うシート
１４ａ７  底面を覆うシート１４ａ６の縁
１４ｂ  第２防水クッション部
１４ｂ１  第２マット材
１４ｂ２  第２樹脂シート
１４ｂ３  第２マット材１４ｂ１の上面を覆うシート
１４ｂ４  第２マット材１４ｂ１の側周面を覆うシート
１４ｂ５  縁材
１４ｂ６  第２マット材１４ｂ１の底面を覆うシート
１４ｂ７  底面を覆うシート１４ｂ６の縁
１４ｃ  接続部
１４ｄ  把手
１４ｅ  滑り止め
１４ｆ  接合部
２１  止め紐
３１  ポケット
３２  止め紐
３３，３４  把手
３３ａ，３３ｂ、３４ａ，３４ｂ  把手の両端
【図１】
2019129792.tif 000003
【図２】
2019129792.tif 000004
【図３】
2019129792.tif 000005
【図４】
2019129792.tif 000006
【図５】
2019129792.tif 000007
【図６】
2019129792.tif 000008
【図７】
2019129792.tif 000009
【図８】
2019129792.tif 000010
【図９】
2019129792.tif 000011
【図１０】
2019129792.tif 000012